(57)【要約】【課題】生成物の管理を容易にする画像形成装置を提供する。【解決手段】画像形成装置１０１は、画像読取部２０又はＰＣなどから入力された画像データに対して、出力する各部ごとのスタンプナンバーを操作部３０により設定し、その設定の応じた画像合成を制御本体部１０で行い、出力する。【選択図】図１
2006015593.tif 000002
【特許請求の範囲】
【請求項１】
画像データを入力する画像データ入力手段と、
前記画像データに文字を付加するための文字データを入力する文字データ入力手段と、
前記画像データの出力部数をカウントして部数番号を出力するカウント手段と、
前記画像データに対して前記文字データと前記部数番号とに応じて異なる文字を付加するスタンプナンバリングを出力する部単位に行う画像形成手段と、
を備えたことを特徴とする画像形成装置。
【請求項２】
前記画像データに文字のみの付加又は文字と部数番号の付加を設定する設定手段をさらに備え、
前記画像形成手段は、前記設定手段に応じてスタンプナンバリングを行うことを特徴とする請求項１に記載の画像形成装置。
【請求項３】
前記設定手段は、画像データに付加する文字又は部数番号の付加位置を個別に設定することを特徴とする請求項２に記載の画像形成装置。
【請求項４】
画像データを入力し、
前記画像データに文字を付加するための文字データを入力し、
前記画像データの出力部数を部数番号としてカウントし、
前記画像データに対して前記文字データと前記部数番号とに応じて異なる文字を付加するスタンプナンバリングを出力する部単位に行う、ことを特徴とする画像形成方法。
【請求項５】
前記画像データに文字のみの付加又は文字と部数番号の付加を設定し、
前記設定に応じてスタンプナンバリングを行う、ことを特徴とする請求項４に記載の画像形成方法。
【請求項６】
前記設定は、画像データに付加する文字又は部数番号の付加位置を個別に設定することを特徴とする請求項５に記載の画像形成方法。
【発明の詳細な説明】
【技術分野】
【０００１】
本発明は、画像形成装置及び画像形成方法に関する。
【背景技術】
【０００２】
画像データを複数部数印刷する場合、出力する部数ごとにその部数を示す数字を付加印字するスタンプナンバリング機能が知られており、スタンプナンバリング機能を用いた複数部数の印刷例を図４に示す。
図４は、４ページからなる画像データをスタンプナンバリングを施して４部印刷した場合の印字例である。図４に示すように、中央に画像データが印刷された各印刷物には、各部ごとに同一の数字であり、部数を表すスタンプナンバリングが左上に施され、中央下部にページ番号が印字される。
【０００３】
例えば、上記印刷を行う公知な技術としては、文書上の位置を指定するだけでその指定位置に番号付けを行うという、ナンバリング機能と印字位置指定の操作性に関するもので、確実にナンバリングする機能としてカウンタ情報を内部で管理するものがある（特許文献１参照）。
【特許文献１】特開平８−１９４６９９号公報
【発明の開示】
【発明が解決しようとする課題】
【０００４】
たしかに、上記技術は、生成物の発行部数や配布部数の管理・識別には有効なものである。しかし、配布先や印刷物の使用目的に関する管理・識別には、十分とは言えず、さらなる開発が求められていた。
【０００５】
そこで、本発明は、生成物の管理を容易にする画像形成装置を提供することを課題とするものである。
【課題を解決するための手段】
【０００６】
上記課題を解決するために、請求項１記載の発明は、画像データを入力する画像データ入力手段と、前記画像データに文字を付加するための文字データを入力する文字データ入力手段と、前記画像データの出力部数をカウントして部数番号を出力するカウント手段と、前記画像データに対して前記文字データと前記部数番号とに応じて異なる文字を付加するスタンプナンバリングを出力する部単位に行う画像形成手段と、を備えたことを特徴とする画像形成装置。
【０００７】
請求項２記載の発明は、請求項１記載の発明において、前記画像データに文字のみの付加又は文字と部数番号の付加を設定する設定手段をさらに備え、前記画像形成手段は、前記設定手段に応じてスタンプナンバリングを行うことを特徴とする。
【０００８】
請求項３記載の発明は、請求項２記載の発明において、前記設定手段は、画像データに付加する文字又は部数番号の付加位置を個別に設定することを特徴とする。
【０００９】
請求項４記載の発明は、画像データを入力し、前記画像データに文字を付加するための文字データを入力し、前記画像データの出力部数を部数番号としてカウントし、前記画像データに対して前記文字データと前記部数番号とに応じて異なる文字を付加するスタンプナンバリングを出力する部単位に行うことを特徴とする。
【００１０】
請求項５記載の発明は、請求項４記載の発明において、前記画像データに文字のみの付加又は文字と部数番号の付加を設定し、前記設定に応じてスタンプナンバリングを行うことを特徴とする。
【００１１】
請求項６記載の発明は、請求項５記載の発明において、前記設定は、画像データに付加する文字又は部数番号の付加位置を個別に設定することを特徴とする。
【発明の効果】
【００１２】
請求項１記載の発明によれば、出力する部数ごとに異なる文字又と部数番号によるスタンプナンバリングを行うことができる。これにより、ユーザは、出力部数の管理だけでなく、配布先の確認、記録の分類など、生成物の管理を容易に行うことができる。
【００１３】
請求項２記載の発明によれば、紙面に余分な印字を抑えることによる資源の節約と、生成物の管理時において、余分な情報による混乱を防ぐことができる。
【００１４】
請求項３記載の発明によれば、スタンプナンバリングの位置を自由に行うことができ、管理時に確認し易いようにすることができる。また、パンチやバインダーなどによるファイル管理時にスタンプナンバリングが邪魔になることなく、管理を容易にすることができる。
【００１５】
請求項４〜６記載の発明によれば、請求項１〜３記載の発明と同等の作用、効果を奏することができる。
【発明を実施するための最良の形態】
【００１６】
［実施例］
図面を参照して、本発明に係る画像形成装置１０１について詳細に説明する。ただし、本発明の範囲は図示例に限定されない。
【００１７】
図１に本発明の画像形成装置１０１の内部構成図を示す。画像形成装置１０１は、本体部１ａ、プリントコントローラ１ｂから構成され、本体部１ａのＬＡＮＩＦ１９（Local Area Network InterFace）又はプリントコントローラ１ｂのＬＡＮＩＦ６２を介してＬＡＮ上のユーザ端末ＰＣと相互に情報の送受信が可能に接続される。
【００１８】
まず、本体部１ａについて説明する。
本体部１ａは、制御本体部１０、画像読取部２０、操作部３０、プリンタ部４０から構成される。
【００１９】
制御本体部１０は、画像制御部１１、不揮発性メモリ１２、読取処理部１３、圧縮ＩＣ１４（Integrated Circuit）、ＤＲＡＭ制御ＩＣ１５、画像メモリ１６、伸張ＩＣ１７、書込処理部１８、ＬＡＮＩＦ１９から構成される。
【００２０】
画像制御部１１は、ＣＰＵ（Central Processing Unit）等から構成され、不揮発性メモリ１２に格納されている各種処理プログラムに従って画像形成装置１０１の各部の動作を集中制御する。例えば、操作部５０から入力される操作信号に従って、コピーモード、プリンタモード、スキャナモードを切り換え、不揮発性メモリ１２に記憶されている各モードに対する処理プログラムを読み出して、複写、印刷、画像データの読取等の制御を行う。
【００２１】
不揮発性メモリ１２は、画像制御部１１における初期起動処理、画像処理、印刷処理などの各種処理プログラム及び各種プログラムで使用する値などのデータを記憶する。
【００２２】
読取処理部１３は、画像読取部２０の読取制御部２２から入力されるアナログ画像信号に、アナログ処理、シェーディング処理等の各種処理を施した後、Ａ／Ｄ変換処理を行ってデジタル画像データを生成する。生成された画像データは、圧縮ＩＣ１４に出力される。
【００２３】
圧縮ＩＣ１４は、入力された画像データに圧縮処理を施してＤＲＡＭ制御ＩＣ１５に出力する。
【００２４】
ＤＲＡＭ制御ＩＣ１５は、画像制御部１１からの指示に従って、圧縮ＩＣ１４による画像データの圧縮処理及び伸張ＩＣ１７による圧縮画像データの伸張処理を制御するとともに、画像メモリ１６への画像データの入出力制御を行う。例えば、画像読取部３０により読み取られた画像データの保存が指示されると、読取処理部１３から入力された画像データの圧縮処理を圧縮ＩＣ１４により実行させて、圧縮画像データを画像メモリ１６の圧縮メモリ１６ａに格納させる。また、圧縮メモリ１６ａに格納された圧縮画像データの印刷出力が指示されると、圧縮メモリ１６ａから圧縮画像データを読み出し、伸張ＩＣ１７により伸張処理を実行させてページメモリ１６ｂに格納させる。さらに、ページメモリ１６ｂに格納された非圧縮画像データの印刷が指示されると、ページメモリ１６ｂから非圧縮画像データを読み出して書込処理部１８に出力する。
【００２５】
画像メモリ１６は、ＤＲＡＭ（Dynamic RAM）から構成される圧縮メモリ１６ａ、ページメモリ１６ｂを備える。圧縮メモリ１６ａは、圧縮画像データを格納するためのメモリであり、ページメモリ１６ｂは、印刷前に印刷対象の非圧縮画像データを一時的に格納するためのメモリである。
【００２６】
伸張ＩＣ１７は、入力される圧縮画像データに伸張処理を施す。
【００２７】
書込処理部１８は、ＤＲＡＭ制御ＩＣ１５から入力された印刷対象の画像データに基づいて、画像形成のための印刷用データを生成し、プリンタ部４０に出力する。
【００２８】
ＬＡＮＩＦ１９は、ネットワークインターフェイスカード（以下、ＮＩＣ；Network Interface Card）、モデム等のＬＡＮと接続するための通信インターフェイスであり、ＬＡＮ上のユーザ端末ＰＣから印刷対象の画像データ、テキストデータなどを送受信する。
【００２９】
画像読取部２０は、ＣＣＤ２１（Charge Coupled Device）、ＣＣＤ２１を駆動制御する読取制御部２２、後述する図２に示すＡＤＦ（自動紙送り機構）等から構成され、原稿台に載置された原稿面を露光走査した光の反射光をＣＣＤ２１により光電変換することにより画像データ入力手段として原稿画像を読み取る。読み取られた原稿画像のアナログ画像信号は、制御本体部１０の読取処理部１３に出力される。
【００３０】
操作部３０は、ＬＣＤ３１（Liquid  Crystal  Display）、操作部制御部３２、その他図示しない操作キー群から構成される。ＬＣＤ３１上にはＬＣＤ３１を覆うようにタッチパネルが設けられており、操作部制御部３２は、画像制御部１１から入力される表示信号に従って、印刷条件を入力するための操作画面や各種処理結果等をＬＣＤ３１に表示させる。また、操作部制御部３２は、操作キー群又はタッチパネルから入力される操作信号を画像制御部１１に出力する。
【００３１】
プリンタ部４０は、画像形成部４１、画像制御部１１からの指示に従って画像形成部４１の画像形成動作を制御するプリンタ制御部４２から構成される。
画像形成部４１は、露光部、感光ドラム、現像部を備えて構成され、プリンタ制御部４２からの印刷指示に従って、書込処理部１８から入力された印刷データに基づいて、露光部により感光ドラム表面に静電潜像を形成する。そして、現像部によりトナーを付着させて感光ドラム表面にトナー像を形成し、このトナー像を給紙ユニット５０から給紙された印刷用紙に転写して後述する定着器４３により定着後、後処理装置１ｃに出力する。本実施の形態では、電子写真方式を適用した例を説明するが、これに限らず、インクジェット方式、熱昇華方式等、他のプリント方式を適用することとしてもよい。
【００３２】
次に、プリントコントローラ１ｂの各部について説明する。
プリントコントローラ１ｂは、画像形成装置１０１をネットワークプリンタとして使用する場合に、ＬＡＮに接続されるユーザ端末ＰＣから画像形成装置１に入力されるプリントジョブの管理及び制御を行うものであり、ユーザ端末ＰＣから印刷対象の出力データ（テキストデータ、画像データ含む）を受信し、画像形成装置１０１の動作状態に応じて当該出力データをプリントジョブとして割り振る機能を有する。
【００３３】
プリントコントローラ１ｂは、図１に示すように、コントローラ制御部６１、ＬＡＮＩＦ６２、ＤＲＡＭ制御ＩＣ６３、画像メモリ６４から構成される。
【００３４】
コントローラ制御部６１は、プリントコントローラ１ｂの各部の動作を統括的に制御し、ＬＡＮを介してユーザ端末ＰＣから入力される出力データを画像形成装置１０１の動作状態に応じてプリントジョブとして配信する機能を実現する。
【００３５】
ＬＡＮＩＦ６２は、ＮＩＣやモデム等のＬＡＮと接続するための通信インターフェイスであり、ユーザ端末ＰＣからＬＡＮを介して印刷対象の出力データを受信する。受信された出力データは、ＤＲＡＭ制御ＩＣ６３に出力される。
【００３６】
ＤＲＡＭ制御ＩＣ６３は、ＬＡＮＩＦ６２により受信された出力データの画像メモリ６４への格納や、画像メモリ６４からの出力データの読み出しを制御する。また、ＤＲＡＭ制御ＩＣ６３は、制御本体部１ａのＤＲＡＭ制御ＩＣ１５とＰＣＩバスで接続されており、コントローラ制御部６１からの指示に従って、印刷対象の出力データを画像メモリ６４から読み出してＤＲＡＭ制御ＩＣ１５に出力する。
【００３７】
画像メモリ６４は、ＤＲＡＭから構成され、入力された出力データを一時的に格納する。
【００３８】
次に、画像形成装置１０１の画像読取部２０、プリンタ部４０及び後処理装置１ｃによる、原稿Ｇから画像を読み取り、当該読み取った画像を記録紙に画像形成して後処理の後に出力する構成を図２を用いて説明する。
【００３９】
先ず、原稿Ｇの読み取りに係る画像読取部２０について説明する。
画像読取部２０は、原稿Ｇを読み取るスキャナ部ｙ１と、原稿Ｇを一枚ずつスキャナ部ｙ１に搬送する自動原稿送り装置ｙ２とから構成される。
【００４０】
自動原稿送り装置ｙ２は、ＡＤＦ（Auto Document Feeder）と称するものであり、原稿載置トレイｙ２１に積載される原稿Ｇをスキャナ部ｙ１の読取個所に一枚ずつ搬送する。また、自動原稿送り装置ｙ２は、原稿２が両面原稿の場合、原稿Ｇの片面読み取り後に原稿Ｇの表裏を反転して再びスキャナ部ｙ１へ原稿２を搬送する。
【００４１】
自動原稿送り装置ｙ２は、原稿載置トレイｙ２１に積載される原稿Ｇを最上部から順に搬送する給紙ローラｙ２２と、原稿Ｇの読取個所であるコンタクトガラスｙ３１に原稿Ｇを密着させながら通過させるための密着ローラｙ２３と、給紙ローラｙ２２により搬送された原稿Ｇを密着ローラｙ２３に沿って案内する案内ローラｙ２４とを備える。
【００４２】
自動原稿送り装置ｙ２は、コンタクトガラスｙ３１を通過した原稿Ｇの進行方向を切り替える切替爪ｙ２５と、原稿Ｇの表裏を反転させるための反転ローラｙ２６と、読み取りが完了した原稿Ｇが排出される排紙トレイｙ２７とを備える。
【００４３】
スキャナ部ｙ１は、自動原稿送り装置ｙ２により搬送された原稿Ｇから画像を読み取り、当該画像を表す画像データを、読取処理部１３に出力する。
【００４４】
スキャナ部ｙ１は、光源ｙ３３及びミラーｙ３４を備えた露光走査部ｙ３５と、原稿Ｇからの反射光を受光しその光強度に応じた電気信号を出力するラインイメージセンサｙ３６と、原稿Ｇからの反射光をラインイメージセンサｙ３６へ集光する集光レンズｙ３７と、露光走査部ｙ３５のミラーｙ３４からの反射光をラインイメージセンサｙ３６へ導くための光学経路を形成する各種ミラーｙ３８とを備える。
【００４５】
自動原稿送り装置ｙ２により搬送された原稿Ｇが読み取られる場合、露光走査部ｙ３５がコンタクトガラスｙ３１の下方の読取個所へ移動して停止し、その上を密着ローラｙ２３により搬送される原稿Ｇが読み取られる。プラテンガラスｙ３２上に載置された原稿Ｇが読み取られる場合には、プラテンガラスｙ３２の下面に沿って左から右へと露光走査部ｙ３５が移動して静止状態の原稿Ｇが読み取られる。
【００４６】
次に、画像形成に係るプリンタ部４０及び後処理装置１ｃについて説明する。
プリンタ部４０は、画像形成される記録紙５１を格納する給紙ユニット５０、記録紙に画像を形成する画像形成部４１及び形成された画像を加熱と加圧により記録紙に定着させる定着器４３を備え、画像読取部２０により読み取られた画像データにより表される画像を電子写真プロセスにより記録紙５１上に形成して後処理装置１ｃに出力する。
なお、上記画像データは、画像読取部２０による読み取りに限定されるものではなく、ＰＣなどからの通信によるものでも良い。
【００４７】
後処理装置１ｃは、プリンタ部４０から出力された記録紙に後処理を施す加工部７１、部ごと又は章ごとに所定の用紙を挿入する後処理に使用される挿入シート７３、後処理後の記録紙を出力する排紙トレイ７２を備え、プリンタ部４０により画像形成された記録紙５１に対して、ステイプル・パンチ穴あけ・ソートなどの各種後処理を施して出力する。
【００４８】
また、プリンタ部４０及び後処理装置１ｃ内には、記録紙５１を搬送するための搬送路ｒ１〜ｒ６が構成される。搬送路ｒ１〜ｒ６は、主に、駆動ローラと従動ローラとからなる搬送ローラ対を複数配置した搬送装置により形成される。
【００４９】
記録紙５１は、図示しないピックアップローラーにより、一枚ずつ搬送路ｒ１に送られ、搬送路ｒ２を経て画像形成部４１に送られて画像形成された後、搬送路ｒ３を経て定着器４３で定着され、後処理装置１ｃへ出力される。ここで、両面印刷の場合は、搬送路ｒ４に導かれて、途中で反転させられた後、再度搬送路ｒ２から画像形成部４１へ送られる。
そして、記録紙５１は、後処理装置１ｃへ送られた後、搬送路ｒ５により加工部７１に導かれて後処理された後、搬送路ｒ６により排紙トレイ７２に排出される。
なお、記録紙５１は紙やフィルム等が該当する。
【００５０】
次に、画像形成装置１０１におけるスタンプナンバリング処理について、図３に示すフローチャートを参照して説明する。ここで説明する処理は、画像制御部１１が行うステップＳ１１〜ステップＳ２６の各処理からなる。
【００５１】
画像形成装置１０１は、画像データの読込と印刷部数の設定の後、部数毎にスタンプナンバリング・ウォーターマーク（透かし印刷）・オーバーレイ（重ね合わせ）の設定であるスタンプ／オーバーレイの設定を行い（ステップＳ１１）、そのスタンプナンバリングの位置／サイズなどの詳細な設定を行う（ステップＳ１２）。なお、ここにおける設定は、部数に応じた行数からなる特に図示しない設定テーブルに各部毎の設定状況が格納されることで行われる。
【００５２】
ここにおけるスタンプ／オーバーレイの設定とその詳細な設定について、ＬＣＤ３１に表示される表示画面３１ａ〜ｄの表示例を図７、８に示して説明する。
【００５３】
図７（ａ）は、スタンプ／オーバーレイの選択画面の表示例である。表示画面３１ａは、現在の設定画面の状況を示す上段表示部３０１と、スタンプ・ナンバリング・オーバーレイとその詳細を選択設定する画面に移行するためのボタンを表示する中段表示部３０２と、次の設定に進む又は前の設定に戻るためのボタンを表示する下段表示部３０３とからなる。
【００５４】
表示画面３１ａにおいては、ユーザが中段表示部３０２の「ナンバリング」ボタンを選択することでスタンプナンバリングの詳細を設定する画面（図７（ｂ）参照）に移行され、下段表示部３０３のボタンを選択することで、特に図示しない印刷確認画面や、印刷実行画面に移行される。なお、ここにおけるスタンプナンバリングの選択は、通常印刷である「スタンプ」によるものと、透かし印刷である「ウォーターマーク」によるものとがある。
【００５５】
図７（ｂ）は、スタンプナンバリングのナンバリングに関する設定画面の表示例である。表示画面３１ｂは、上段表示部３０１と、ナンバリングの設定状況を示す中段右表示部３０２ａと、ナンバリングの印字形式を選択設定するボタンを表示する中段中表示部３０２ｂと、ナンバリングの位置を選択設定するボタンを表示する中段左表示部３０２ｃと、位置・文字の大きさ・印字ページの変更、スタンプナンバリングにおけるテキスト編集モード（図８（ａ）参照）への移行、及び設定の決定又はキャンセルを行う各種ボタンを表示する下段表示部３０３とからなる。
【００５６】
表示画面３１ｂにおいては、ユーザが中段中表示部３０２ｂのボタンを選択して各種印字形式が設定され、中段左表示部３０２ｃのボタンを選択してナンバリングの印字が設定され、下段表示部３０３のボタンを選択してテキスト設定画面への移行が行われる。
【００５７】
図８（ａ）は、テキストに関する設定画面の表示例である。表示画面３１ｃは、上段表示部３０１と、各部ごとにスタンプナンバリングされるテキストを表示するテキスト設定画面である中段中表示部３０２ｂと、そのテキストの印字位置を選択設定する付加位置の設定手段であるボタンを表示する中段左表示部３０２ｃと、スタンプナンバリングのナンバリングに関する設定画面（図７（ｂ）参照）へ移行するボタンなどが表示される下段表示部３０３とからなる。なお、中段中表示部３０２ｂには、何部目かを示す数字と、印字されるテキスト、画面をスクロールさせるスクロールバーが表示され、ナンバリング印字される部については数字が丸付数字で表され、テキスト印字される部については網掛けで表される。
【００５８】
表示画面３１ｃにおいては、ユーザが中段中表示部３０２ｂの各項目を選択して各部ごとのテキスト印字設定が行われ、ダブルクリックすることでその部におけるテキスト編集画面（図８（ｂ）参照）への移行が行われる。
【００５９】
図８（ｂ）は、テキストの編集画面の表示例である。表示画面３１ｄは、上段表示部３０１と、入力位置を示すカーソル３０４、文字データ入力手段としての文字を入力するための文字パレット３０５、及び設定手段であり印字モードを押下して切り替える選択ボタン３０６から構成される中段表示部３０２と、下段表示部３０３とからなる。なお、ここにおける印字モードとは、テキストとナンバリングの両方を印字するモード、テキストのみを印字するモード、ナンバリングのみを印字するモード、及びなにも印字しないモードがある。
【００６０】
表示画面３１ｄにおいては、選択された部ごとに、ユーザがカーソル３０４と文字パレット３０５を操作してテキストの編集が行われ、選択ボタン３０６により印字モードが設定される。
【００６１】
上述したステップＳ１１、ステップＳ１２における各種設定は、各部ごとに行うものとしたが、例えば、全部に対して印字モードを設定するようなボタンがあって良く、特に限定するものではない。また、予めテキストデータが複数のグループごとに格納され、グループを選択することで一括して設定されるような構成であっても良い。
【００６２】
ステップＳ１２の後、印刷実行の指示により、カウント手段としてのスタンプ用部数カウントが最初の印刷部を示すスタート番号にセットされ（ステップＳ１３）、そのカウントに応じた部におけるスタンプナンバリングの設定が確認される（ステップＳ１４）。
【００６３】
ステップＳ１４において、ナンバーのみの印字設定である場合は、ナンバリングデータにスタンプ用部数カウントが代入され（ステップＳ１５）、テキストデータにデータが存在しないことを示すＮＵＬＬが設定される（ステップＳ１６）。
【００６４】
ステップＳ１４において、テキストのみの印字設定である場合は、ナンバリングデータにＮＵＬＬが設定され（ステップＳ１７）、テキストデータにスタンプ用部数カウントに応じた部のテキストが代入される（ステップＳ１８）。
【００６５】
ステップＳ１４において、ナンバーとテキストの印字設定である場合は、ナンバリングデータにスタンプ用部数カウントとテキストデータにカウントに応じた部のテキストがそれぞれ代入される（ステップＳ１９、ステップＳ２０）。
【００６６】
ステップＳ１４において、スタンプナンバーが設定されていない場合は、ナンバリングデータ及びテキストデータにＮＵＬＬが設定される（ステップＳ２１、ステップＳ２２）。
【００６７】
スタンプナンバリングの設定に応じたナンバリングデータとテキストデータの設定の後（ステップＳ１５〜ステップＳ２２）、画像形成手段としてのステップＳ２３によりスタンプ用部数カウントに対応する部の画像データと印字位置などの各種設定が読み出され、ナンバリングデータ・テキストデータを元に画像が合成されて、印刷される（ステップＳ２４）。
【００６８】
ステップＳ２４の後、全ての部について印刷が終了したかが確認され（ステップＳ２５）、印刷する部が残っている場合（ステップＳ２５：ＮＯ）、スタンプ用部数カウントがインクリメントされて（ステップＳ２６）、ステップＳ１４へ戻る。
ステップＳ２５において、全ての部の印刷が終了したと判定された場合（ステップＳ２５：ＹＥＳ）は、終了する。
【００６９】
ここで、上記処理によるテキストのみの場合とテキストとナンバリングの場合の印刷例を図５、６を用いて説明する。
【００７０】
図５は、テキストのみのスタンプナンバリングの印字例を示す図である。図５に示すように、出力画像は、各部ごとに異なり部の中では同一のテキストが左上に印字されてなる。
【００７１】
図６は、テキストとナンバリングによるスタンプナンバリングの印字例を示す図である。図６に示すように、出力画像は、左上にナンバリングが施され、右上にテキストが印字されてなる。
【００７２】
なお、図５、６に示した印字例における印字位置は、各部にわたり全て同一の設定としたが、各部ごとにことなる設定で良い。
【００７３】
なお、画像の出力は、記録紙５１への印字だけでなく、ＰＣや他のプリンタへの送信であって良く、特に限定するものではない。
【００７４】
したがって、ユーザは、ステップＳ２０やＰＣなどにより入力した画像データに対して、上述したスタンプナンバリング処理を行い、部ごとに異なるテキストデータを画像へ合成して生成することができる。そのため、ユーザは、その生成物の管理を付加されたテキストにより識別することで容易に行うことができる。
【図面の簡単な説明】
【００７５】
【図１】本発明における画像形成装置１０１の内部構成を示す図である。
【図２】本発明における画像形成装置１０１の原稿Ｇの読み取りと記録紙５１への出力に係る構成を示す図である。
【図３】本発明における画像形成装置１０１のスタンプナンバリング処理を説明するフローチャートである。
【図４】従来技術におけるスタンプナンバリング処理の印字例を示す図である。
【図５】本発明におけるテキストのみのスタンプナンバリング処理の印字例を示す図である。
【図６】本発明におけるテキストのナンバリングによるスタンプナンバリング処理の印字例を示す図である。
【図７】（ａ）は、スタンプナンバリング処理におけるスタンプ／オーバーレイモードの設定時の表示画面３１ａを示す図であり、（ｂ）は、スタンプナンバリング処理におけるナンバリング設定時の表示画面３１ｂを示す図である。
【図８】（ａ）は、スタンプナンバリング処理におけるテキスト設定時の表示画面３１ｃを示す図であり、（ｂ）は、スタンプナンバリング処理におけるテキスト編集時の表示画面３１ｄを示す図である。
【符号の説明】
【００７６】
１０１  画像形成装置
１ａ  本体部
１０  制御本体部
１１  画像制御部
１２  不揮発性メモリ
１３  読取処理部
１４  圧縮ＩＣ
１５  ＤＲＡＭ制御ＩＣ
１６  画像メモリ
１６ａ  圧縮メモリ
１６ｂ  ページメモリ
１７  伸張ＩＣ
１８  書込処理部
１９  ＬＡＮＩＦ
２０  画像読取部
３０  操作部
４０  プリンタ部
４１  画像形成部
５０  給紙ユニット
５１  記録紙
１ｂ  プリントコントローラ
１ｃ  後処理装置
【図１】
2006015593.tif 000003
【図２】
2006015593.tif 000004
【図３】
2006015593.tif 000005
【図４】
2006015593.tif 000006
【図５】
2006015593.tif 000007
【図６】
2006015593.tif 000008
【図７】
2006015593.tif 000009
【図８】
2006015593.tif 000010